(57)【要約】      （修正有）【課題】複数のシステム制御盤を設置して使用する場合の監視制御を最適化して施工及び運用管理を容易にすることを可能とする。【解決手段】複数の防護区画Ａ１〜Ａ２ｎ＋ｎに設けた火災感知器36、スプリンクラーヘッドの作動を検出する減圧検出器44、スプリンクラーヘッドに消火用水を供給又は停止する予作動弁40を複数のシステム制御盤200-1〜200-3に接続し、システム制御盤200-1〜200-3を、伝送路102を介してシステム統合盤100に接続する。システム統合盤100は、複数のシステム制御盤200-1〜200-3から火災信号及び減圧信号を受信し、同一防護区画について火災信号による火災検出と減圧信号による減圧検出を判別した場合に、防護区画を指定した弁制御信号を生成し、当該防護区画を管轄するシステム制御盤に弁制御信号を送信して予作動弁40を開制御させる。【選択図】図１
2015091284.tif 000002
【特許請求の範囲】
【請求項１】
火災を含む所定の事象を検出する１又は複数の検出器、所定の消火制御を行う制御機器を備えた複数の防護区画と、
前記複数の防護区画に設けた検出器及び制御機器を信号線接続した複数のシステム制御盤と、
前記複数の複数のシステム制御盤に伝送路を介して接続して信号を送受信し、前記複数のシステム制御盤に信号線接続している検出器で検出した事象を表示すると共に前記制御機器を遠隔操作可能なシステム統合盤と、
を備え、
前記複数のシステム制御盤に、自己に接続した検出器からの検出信号を受信した場合に、防護区画を指定した検出信号を前記システム統合盤に送信し、前記システム統合盤から防護区画を指定した制御信号を受信した場合に当該防護区画に対応した制御機器に制御信号を送信するシステム制御部を設け、
前記システム統合盤に、前記複数のシステム制御盤から検出信号を受信して所定事象の検出を判別した場合に、同一の防護区画に設置した制御機器を指定した制御信号を生成して当該防護区画を管轄する前記システム制御盤に送信する統合制御部を設けたことを特徴とする統合消火システム
【請求項２】
請求項１記載の統合消火システムに於いて、
前記防護区間に設けた防護区画に設けた検出器を１のシステム制御盤に信号線接続し、前記防護区画に設けた制御機器を他のシステム制御盤に信号線接続し、
前記システム統合盤の統合制御は、前記１のシステム制御盤から検出信号を受信して所定事象の検出を判別した場合に、防護区画を指定した制御信号を生成し、当該防護区画を管轄する前記他のシステム制御盤に前記制御信号を送信して制御させることを特徴とする統合消火システム。
【請求項３】
請求項１記載の統合消火システムに於いて、前記システム制御盤のシステム制御部は、前記システム統合盤の機能喪失を判別した場合、自己に接続している検出器の検出状態を表示すると共に前記制御機器を遠隔操作可能とすることを特徴とする総合消火システム。
【請求項４】
請求項１記載の統合消火システムに於いて、前記システム制御盤のシステム制御部は、
同一防護区画の検出器を自己に接続すると共に制御機器を他のシステム制御盤に接続している場合、前記制御機器と他のシステム制御盤の関係を示す渡り制御情報を予め記憶し、前記システム統合盤の機能喪失を判別した場合、自己に接続している前記検出器による所定事象の検出を判別した場合に、前記渡り制御情報から検出した他のシステム制御盤に前記制御機器に対する制御信号を送信して制御させることを特徴とする統合消火システム。
【請求項５】
請求項１記載の統合消火システムに於いて、前記システム統合盤の統合制御部は、前記システム制御盤から受信した検出信号に対応した文字及び又はシンボルを生成し、監視領域の地図上に前記文字及び又はシンボルを表示可能としたことを特徴とする統合消火システム。
【請求項６】
請求項１乃至５の何れかに記載の統合消火システムに於いて、
前記防護区画の検出器を、火災を検出して火災信号を出力する火災感知器と、スプリンクラーヘッドの作動による減圧を検出して減圧信号を出力する減圧検出器とし、前記制御機器を、前記スプリンクラーヘッドに消火用水を供給又は停止する制御弁とし、
前記複数のシステム制御盤のシステム制御部は、自己に接続した火災感知器からの火災信号及び減圧検出器からの減圧信号を受信した場合に、防護区画を指定した火災信号及び減圧信号を前記システム統合盤に送信し、前記システム統合盤から防護区画を指定した弁制御信号を受信した場合に当該防護区画に対応した制御弁に弁制御信号を送信し、
前記システム統合盤の統合制御部は、前記複数のシステム制御盤から火災信号及び減圧信号を受信し、同一防護区画について火災信号による火災検出と減圧信号による減圧検出を判別した場合若しくは火災信号による火災検出を判別した場合に、防護区画を指定した弁制御信号を生成し、当該防護区画を管轄する前記システム制御盤に前記弁制御信号を送信して制御させることを特徴とする統合消火システム
【請求項７】
請求項６記載の統合消火システムに於いて、
前記防護区間に設けた防護区画に設けた火災感知器と減圧検出器を１のシステム制御盤に信号線接続し、前記防護区画に設けた制御弁を他のシステム制御盤に信号線接続し、
前記システム統合盤の統合制御は、前記１のシステム制御盤から火災信号及び減圧信号を受信して、同一防護区画について火災信号による火災検出と減圧信号による減圧検出を判別した場合若しくは火災信号による火災検出を判別した場合に、防護区画を指定した弁制御信号を生成し、当該防護区画を管轄する前記他のシステム制御盤に前記弁制御信号を送信して制御させることを特徴とする統合消火システム。
【請求項８】
請求項６記載の統合消火システムに於いて、前記システム制御盤のシステム制御部は、前記システム統合盤の機能喪失を判別した場合、自己に接続している火災感知器及び減圧検出器の検出状態を表示すると共に前記制御弁を遠隔操作可能とし、更に、同一防護区画について火災信号による火災検出と減圧信号による減圧検出を判別した場合若しくは火災信号による火災検出を判別した場合に、前記防護区画に設けた制御弁に弁制御信号を出力して制御することを特徴とする統合消火システム。
【請求項９】
請求項６記載の統合消火システムに於いて、前記システム統合盤の統合制御部は、前記システム制御盤から受信した火災信号及び減圧信号に対応した文字及び又はシンボルを生成し、監視領域の地図上に前記文字及び又はシンボルを表示可能としたことを特徴とする統合消火システム。
【発明の詳細な説明】
【技術分野】
【０００１】
本発明は、火災が起きた場合に予作動弁を開放してスプリンクラーヘッドから放水させる制御盤等を複数設置して統合的に管理する統合消火システムに関する。
【背景技術】
【０００２】
従来、スプリンクラーヘッドの破損などによる誤放水を防止する消火設備として例えば予作動式のスプリンクラー消火設備が知られている。
【０００３】
予作動式スプリンクラー消火設備は、防護区画毎に設置した予作動弁装置、閉鎖型のスプリンクラーヘッド、火災感知器及びシステム制御盤で構成される。スプリンクラーヘッドを接続した予作動弁装置の２次側配管には加圧消火用水又は圧縮空気を充填しており、火災感知器により火災を検出した場合（シングルインターロック制御）、または火災検出とスプリンクラーヘッド作動による減圧検出の両方を判別した場合（ダブルインターロック制御）、予作動弁装置を開放してスプリンクラーヘッドから加圧消火用水を放水させる。
【０００４】
一方、スプリンクラーヘッドが破損した場合は、火災感知器による火災検出が判別されていないことから予作動弁装置の開放は行われず、誤放水を確実に防止することができる。
【０００５】
予作動弁装置は、開閉駆動機構を備えた本弁として機能する予作動弁と、予作動弁制御盤からの制御信号により遠隔的に開閉制御を受けて予作動弁を開閉させる作動用電動弁を備えている。
【０００６】
ここで、一台のシステム制御盤に接続できる予作動弁装置などの最大端末数は、システム制御盤の性能として予め定めた端末数に制限している。
【０００７】
このようなシステム制御盤においては、接続可能な最大端末数を超える巨大物件に使用する場合、最大端末数を増加する特殊制御盤を新規に開発して物件に設置するか、または複数台のシステム制御盤を併設して設置するなどして、巨大物件に対応する必要があった。
【先行技術文献】
【特許文献】
【０００８】
【特許文献１】特開平４−１８９３７２号公報
【特許文献２】特開平４−２７６２７１号公報
【発明の概要】
【発明が解決しようとする課題】
【０００９】
しかしながら、最大端末数を増加する特殊制御盤を新規に開発して物件に設置する場合は、毎回、物件仕様に対応した製品の開発が必要となり、コストが嵩むと共に納期がかかり、製品の機器仕様が異なることで保守が煩雑になるという問題がある。
【００１０】
また、複数台のシステム制御盤を併設して設置する場合には、同じシステム制御盤が併設されるため、システム制御盤と管轄している端末との関係を常に確認しなければならないために点検などの運用面で煩雑となり、また、監視エリアがシステム制御盤単位で適切に切り分けることができない場合、同一の監視エリアに複数台の火災感知器などの監視機器を設置して各システム制御盤に接続する必要があり、機器費用及び施工費用が嵩み、点検などの運用面で煩雑となるという問題がある。
【００１１】
本発明は、複数のシステム制御盤を設置して使用する場合の監視制御を最適化して施工及び運用管理を容易にすることを可能とする統合消火システムを提供することを目的とする。
【課題を解決するための手段】
【００１２】
（統合消火システム）
本発明は、消火統合システムに於いて、
火災を含む所定の事象を検出する１又は複数の検出器、所定の消火制御を行う制御機器を備えた複数の防護区画と、
複数の防護区画に設けた検出器及び制御機器を信号線接続した複数のシステム制御盤と、
複数のシステム制御盤に伝送路を介して接続して信号を送受信し、複数のシステム制御盤に信号線接続している検出器で検出した事象を表示すると共に前記制御機器を遠隔操作可能なシステム統合盤と、
を備え、
複数のシステム制御盤に、自己に接続した検出器からの検出信号を受信した場合に、防護区画を指定した検出信号をシステム統合盤に送信し、システム統合盤から防護区画を指定した制御信号を受信した場合に当該防護区画に対応した制御機器に制御信号を送信するシステム制御部を設け、
システム統合盤に、複数のシステム制御盤から検出信号を受信して所定事象の検出を判別した場合に、同一の防護区画に設置した制御機器を指定した制御信号を生成して当該防護区画を管轄するシステム制御盤に送信する統合制御部を設けたことを特徴とする。
【００１３】
（システム制御盤の渡り制御）
防護区間に設けた防護区画に設けた検出器を１のシステム制御盤に信号線接続し、防護区画に設けた制御機器を他のシステム制御盤に信号線接続し、
システム統合盤の統合制御は、１のシステム制御盤から検出信号を受信して所定事象の検出を判別した場合に、防護区画を指定した制御信号を生成し、当該防護区画を管轄する他のシステム制御盤に記制御信号を送信して制御させる。
【００１４】
（システム統合盤の機能喪失によるシステム縮退）
システム制御盤のシステム制御部は、システム統合盤の機能喪失を判別した場合、自己に接続している検出器の検出状態を表示すると共に制御機器を遠隔操作可能とし、更に、同一防護区画について検出信号による所定事象の検出を判別した場合に、防護区画に設けた制御機器に制御信号を出力して制御する。
【００１５】
（システム縮退時の渡り制御）
システム制御盤のシステム制御部は、同一防護区画の検出器を自己に接続すると共に制御機器を他のシステム制御盤に接続している場合、制御機器と他のシステム制御盤の関係を示す渡り制御情報を予め記憶し、システム統合盤の機能喪失を判別した場合、自己に接続している検出器による所定事象の検出を判別した場合に、渡り制御情報から検出した他のシステム制御盤に、制御機器に対する制御信号を送信して制御させる。
【００１６】
（文字・シンボル表示）
システム統合盤の統合制御部は、システム制御盤から受信した検出信号に対応した文字及び又はシンボルを任意に生成し、監視領域の地図上に前記文字及び又はシンボルを表示可能とする。
【００１７】
（スプリンクラー消火設備対応）
防護区画の検出器を、火災を検出して火災信号を出力する火災感知器と、スプリンクラーヘッドの作動による減圧を検出して減圧信号を出力する減圧検出器とし、制御機器を、スプリンクラーヘッドに消火用水を供給又は停止する制御弁とし、
複数のシステム制御盤のシステム制御部は、自己に接続した火災感知器からの火災信号及び減圧検出器からの減圧信号を受信した場合に、防護区画を指定した火災信号及び減圧信号をシステム統合盤に送信し、システム統合盤から防護区画を指定した弁制御信号を受信した場合に当該防護区画に対応した制御弁に弁制御信号を送信し、
システム統合盤の統合制御部は、複数のシステム制御盤から火災信号及び減圧信号を受信し、同一防護区画について火災信号による火災検出と減圧信号による減圧検出を判別した場合若しくは火災信号による火災検出を判別した場合に、防護区画を指定した弁制御信号を生成し、当該防護区画を管轄するシステム制御盤に弁制御信号を送信して制御させる。
【００１８】
（スプリンクラー消火設備対応のシステム制御盤の渡り制御）
防護区間に設けた防護区画に設けた火災感知器と減圧検出器を１のシステム制御盤に信号線接続し、防護区画に設けた制御弁を他のシステム制御盤に信号線接続し、
システム統合盤の統合制御は、１のシステム制御盤から火災信号及び減圧信号を受信して、同一防護区画について火災信号による火災検出と減圧信号による減圧検出を判別した場合若しくは火災信号による火災検出を判別した場合に、防護区画を指定した弁制御信号を生成し、当該防護区画を管轄する他のシステム制御盤に弁制御信号を送信して制御させる。
【００１９】
（スプリンクラー消火設備対応のシステム統合盤機能喪失によるシステム縮退）
システム制御盤のシステム制御部は、システム統合盤の機能喪失を判別した場合、自己に接続している火災感知器及び減圧検出器の検出状態を表示すると共に制御弁を遠隔操作可能とし、更に、同一防護区画について火災信号による火災検出と減圧信号による減圧検出を判別した場合若しくは火災信号による火災検出を判別した場合に、防護区画に設けた制御弁に弁制御信号を出力して制御する。
【００２０】
（スプリンクラー消火設備対応の文字・シンボル表示）
システム統合盤の統合制御部は、システム制御盤から受信した火災信号及び減圧信号に対応した文字及び又はシンボルを任意に生成し、監視領域の地図上に文字及び又はシンボルを表示可能とする。
【発明の効果】
【００２１】
（基本的な効果）
本発明の消火統合システムによれば、複数の防護区画に設けた例えば火災感知器、減圧検出器などの検出器及び制御弁などの制御機器を信号線接続した複数のシステム制御盤を、検出器の検出状態を表示すると共に制御機器を遠隔操作可能なシステム統合盤に伝送路を介して接続し、複数のシステム制御盤は、自己に接続した検出器からの検出信号を受信してシステム統合盤に送信し、システム統合盤から防護区画を指定した制御信号を受信した場合に当該防護区画に対応した制御機器に制御信号を送信し、システム統合盤は、複数のシステム制御盤から検出信号を受信し、例えば同一防護区画について火災信号による火災検出と減圧信号による減圧検出を判別した場合に、防護区画を指定した弁制御信号を生成して当該防護区画を管轄するシステム制御盤に弁制御信号を送信して制御させるようにしたため、一台のシステム制御盤の最大端末数を超える巨大物件においても、１台のシステム統合盤で複数のシステム制御盤を意識することなく一元的に管理することができ、非常時や点検時に複数台のシステム制御盤を確認する必要がなく、非常時又は点検時に迅速且つ適切な対処を可能とする。
【００２２】
（システム制御盤の渡り制御）
また、防護区間に設けた防護区画に設けた検出器を１のシステム制御盤に信号線接続し、防護区画に設けた制御機器を他のシステム制御盤に信号線接続し、システム統合盤は、１のシステム制御盤から例えば火災信号及び減圧信号を受信して、同一防護区画について火災信号による火災検出と減圧信号による減圧検出を判別した場合に、防護区画を指定した弁制御信号を生成し、当該防護区画を管轄する他のシステム制御盤に弁制御信号を送信して制御弁を制御させるようにしたため、複数のシステム制御盤に跨る監視エリア（防護区画）が生じた場合、１のシステム制御盤で検出信号を受信し、他のシステム制御盤から制御機器を制御するといったシステム制御盤の渡り制御を可能とし、システム制御盤に対する検出器や制御機器の接続割当ての自由度が高まり、同じ防護区画に複数のスプリンクラー制御盤毎に接続する火災感知器などの検出器の設置を不要とし、機器費用及び施工費用の低減を可能とする。
【００２３】
（システム統合盤の機能が喪失した場合の効果）
また、システム制御盤のシステム制御部は、システム統合盤の機能喪失を判別した場合、複数のシステム制御盤が独立して監視制御を行うため、システム統合盤を追加したことに伴いシステムの故障率が高まることを回避可能とする。
【００２４】
（文字・シンボル表示による効果）
また、システム統合盤の統合制御部は、システム制御盤から受信した火災信号及び減圧信号などの検出信号に対応した文字及び又はシンボルを生成し、監視領域の地図上に文字及び又はシンボルを表示可能としたため、火災などの事象の発生場所を迅速に確認して適切に対処可能とする。
【図面の簡単な説明】
【００２５】
【図１】統合消火システムの概略を示した説明図
【図２】消火統合システムで管理制御する予作動式スプリンクラー設備の概略を示した説明図
【図３】システム統合盤の機能構成の概略を示した説明図
【図４】システム制御盤の機能構成の概略を示した説明図
【図５】システム統合盤の地図表示画面の例を示した説明図
【図６】システム統合盤の地図表示画面の他の例を示した説明図
【図７】システム統合盤の機能喪失によるシステム縮退構成を示した説明図
【図８】防護区画の検出器と制御機器を異なるシステム制御盤に接続した消火統合システムの概略を示した説明図
【発明を実施するための形態】
【００２６】
［統合消火システムの概略］
図１は本発明による統合消火システムの概略を示した説明図であり、予作動式スプリンクラー消火設備の管理制御を例にとっている。
【００２７】
図１に示すように、統合消火システムは、システム統合盤１００，複数台のシステム制御盤２００−１〜２００−３、端末機器となる複数の予作動弁装置２４で構成する。
【００２８】
予作動弁装置２４は防護区画Ａ１〜Ａ２ｎ＋ｎに対応して設け、検出器として火災を検出して火災信号を出力する火災感知器３６と、スプリンクラーヘッドの作動による減圧を検出して減圧信号を出力する減圧検出器４４を設け、また制御機器として、スプリンクラーヘッドに消火用水を供給又は停止する制御弁として機能する予作動弁４０を設けている。なお、以下、システム制御盤２００−１〜２００−３をそれぞれ区別しない場合はシステム制御盤２００という。
【００２９】
ここで、システム制御盤２００−１〜２００−３に接続可能な最大端末数は、その仕様できまる所定の端末数に決まっている。統合消火システムを設置する巨大物件となる施設（建物）の端末数は１台のシステム制御盤２００の最大端末数を超えしまう場合がある。このため例えば３台のシステム制御盤２００−１〜２００−３を設置し、システムに接続可能な最大端末数を例えば３倍に拡大している。
【００３０】
システム統合盤１００に対してはシステム制御盤２００−１〜２００−３を伝送路１０２を介して接続し、伝送路１０２により所定の通信プロトコルに従って検出信号及び制御信号を送受信する。この検出信号及び制御信号は、送信元を示す送信元ＩＤ、送信先を示す送信先ＩＤ、防護区画Ａ１〜Ａ２ｎ＋ｎを示す防護区画ＩＤ、火災、減圧、弁制御などの種別を示す種別ＩＤ、検出データ又は制御コマンド等を含んだ所定の信号形式とする。なお、伝送路１０２は、信号ビット列をパラレル伝送するパラレル伝送路、又は、信号ビット列をシリアル伝送するシリアル伝送路のいずれとしても良い。
【００３１】
システム制御盤２００は、自己に接続した火災感知器３６から又は自火報設備から受信した火災信号又は減圧検出器４４からの減圧信号を受信した場合に、防護区画を指定した防護区画ＩＤを含む火災信号又は減圧信号をシステム統合盤１００に送信し、一方、システム統合盤１００から防護区画を指定する防護区画ＩＤを含む弁制御信号を受信した場合に当該防護区画に対応した予作動弁４０に開放制御信号を送信して開制御する。
【００３２】
システム統合盤１００は、複数のシステム制御盤２００から火災信号及び減圧信号を受信し、同一防護区画について火災信号による火災検出と減圧信号による減圧検出を判別した場合（ダブルインターロック制御）に、防護区画を指定する防護区画ＩＤを含む弁制御信号を生成し、当該防護区画を管轄するシステム制御盤２００に開閉制御信号を送信して制御させる。
【００３３】
このような消火統合システムの構成により、１台のシステム制御盤２００の最大端末数を超える巨大物件においても、１台のシステム統合盤１００で複数のシステム制御盤２００を意識することなく一元的に管理することができ、非常時や点検時に複数のシステム制御盤２００を確認する必要がなく、非常時又は点検時に迅速且つ適切な対処を可能とする。
【００３４】
［予作動スプリンクラー消火設備の概要］
図２は消火統合システムで管理制御する湿式の予作動スプリンクラー設備の概略を示したである。
【００３５】
図２に示すように、建物の地下階などのポンプ室には消火ポンプ１０を設置し、モータ１２により駆動する。モータ１２はポンプ制御盤１４により起動・停止の運転制御を受ける。モータ１２により駆動された消火ポンプ１０は水源水槽１５からの消火用水を吸入し、建物の高さ方向に配置した給水本管１６に加圧した消火用水を供給する。
【００３６】
消火ポンプ１０に対しては起動に使用する圧力タンク１８を設ける。圧力タンク１８は給水本管１６に接続し、配管内の加圧消火用水を導入して内部の空気を圧縮している。圧力タンク１８には圧力スイッチ２０を設け、圧力スイッチ２０は給水本管１６の管内圧力が規定圧力以下に低下する減圧を検出してポンプ制御盤１４に減圧検出信号を出力し、これによってモータ１２を駆動して消火ポンプ１０を起動する。
【００３７】
給水本管１６からは建物の防護区画毎に分岐管２２を引き出している。分岐管２２の分岐部分には予作動弁装置２４を設けている。予作動弁装置２４の２次側の分岐管２２には閉鎖型のスプリンクラーヘッド２６を設けている。またスプリンクラーヘッド２６を設置した防護区画には火災感知器３６を設置し、火災感知器３６からの感知器線を、自火報受信機３４を介してシステム制御盤２００に接続している。
【００３８】
分岐管２２の末端側には末端試験弁２８を設け、その２次側を、オリフィス３０を介して排水管３２に接続している。予作動弁装置２４のスプリンクラーヘッド２６を接続した２次側配管には規定圧力となる加圧消火用水を充水している。
【００３９】
予作動弁装置２４は、予作動弁４０、作動用電動弁４２、減圧検出器４４、及び流水検知器４６を備える。減圧検出器４４及び流水検知器４６としては、減圧検出でオンする圧力スイッチを使用する。
【００４０】
予作動弁４０の開放は作動用電動弁４２により行う。作動用電動弁４２は通常の監視状態では閉鎖状態にある。システム統合盤１００からの火災検出と減圧検出に基づく開放制御信号をシステム制御盤２００で受信して作動用電動弁４２を開放制御すると、予作動弁４０が開閉駆動機構開の動作により開放状態となり、１次側から２次側に加圧消火用水を供給して作動したスプリンクラーヘッド２６から放水させる。予作動弁４０の２次側に設けているスプリンクラーヘッド２６の作動による減圧は、減圧検出器４４で検出する。また予作動弁４０の開放による２次側への流水は流水検知器４６で検出する。
【００４１】
予作動弁４０が開放すると、その１次側に接続している給水本管１６の圧力も低下し、この減圧を圧力タンク１８に設けている圧力スイッチ２０で検出して、ポンプ制御盤１４が消火ポンプ１０を起動する。
【００４２】
また、予作動スプリンクラー消火設備の点検にあっては、末端試験弁２８を現場で開放操作してオリフィス３０で決まるスプリンクラーヘッド２６の１台の作動に相当する量の消火用水を排水管３２に流して、スプリンクラーヘッド２６が作動したと同じ試験放水を行い、システム統合盤１００はシステム制御盤２００を経由して受信した試験放水に伴う減圧検出器４４からの減圧信号に基づく開放制御信号により作動用電動弁４２を開制御して予作動弁４０を開閉駆動機構開により開放し、流水検知器４６からの流水検知信号が得られることで、予作動弁装置２４が正常に動作することを確認している。
【００４３】
このような予作動弁装置２４の点検は、防護区画毎に順次行われ、点検が終了した場合、システム統合盤１００での復帰操作に基づく閉鎖制御信号をシステム制御盤２００で受信して作動用電動弁４２を閉鎖制御することにより、開放位置にある全ての作動用電動弁４２を閉鎖制御することで予作動弁４０を閉鎖位置に復帰させる。
【００４４】
この点検を終了した場合の予作動弁装置２４の復帰操作につき、システム統合盤１００は、予作動弁装置２４の個別復帰操作に加え、全ての予作動弁装置２４を復帰させる一括復帰操作を可能とする。
【００４５】
［システム統合盤］
（システム統合盤の構成）
図３はシステム統合盤の機能構成の実施形態を示したブロック図である。図３に示すように、システム統合盤１００は、統合制御部１０４、伝送部１０６、液晶表示パネル１０８、表示部１１０、操作部１１２、警報部１１４を備え、伝送路１０２を介してシステム制御盤２００−１〜２００−３を接続している。
【００４６】
統合制御部１０４は、例えばプログラムの実行により実現される機能であり、ハードウェアとしてはＣＰＵ、メモリ、各種の入出力ポート等を備えたコンピュータ回路等を使用する。
【００４７】
伝送部１０６はシステム制御盤２００との間で火災感知器３６の火災信号、減圧検出器４４の減圧信号、作動用電動弁４２の開閉制御信号を所定の通信プロトコルに従って送受信し、前述したように、この検出信号及び制御信号は、送信元ＩＤ、送信先ＩＤ、防護区画ＩＤ、種別ＩＤ、検出データ又は制御コマンドを含んだ所定の信号形式とする。
【００４８】
また、液晶表示パネル１０８はシステム制御盤２００から火災信号及び減圧信号を受信した場合に監視領域の地図を画面表示すると共に画面表示した地図の中の火災を検出した防護区画を発報表示し、更に、発報表示した防護区画内に火災感知器及び予作動弁などをシンボルと文字により表示する。
【００４９】
また、液晶表示パネル１０８は、統合制御部１０４の指示によりシステム統合盤１００の制御動作に必要な各種の画面表示を行い、表示画面の操作ボタンを操作することで、制御動作に必要な各種の操作入力を可能とする。また、液晶表示パネル１０８はタッチパネルを備えても良い。
【００５０】
表示部１１０は、システム統合盤１００の制御動作に必要な各種の表示灯を設けている。操作部１１２は、システム統合盤１００の制御動作に必要な各種の操作スイッチを設けている。警報部１１４には火災警報、障害警報を音響出力するスピーカなどを設けている。
【００５１】
（制御部の構成）
システム統合盤１００の統合制御部１０４は、ダブルインターロック制御として、防護区画毎に、火災感知器３６からの火災信号と減圧検出器４４からの減圧信号をシステム制御盤２００を経由して受信し、これにより火災感知器３６による火災検出と減圧検出器４４による減圧検出の両方を判別した場合に、同じ防護区画の予作動弁装置２４に設けた作動用電動弁４２にシステム制御盤２００を経由して開放制御信号を出力して遠隔的に開放制御し、これに伴い予作動弁４０を開放動作してスプリンクラーヘッド２６から加圧消火用水を散水させる制御を行う。
【００５２】
また、統合制御部１０４は、別パターンとして、火災感知器３６による火災検出ができない障害検出、例えば伝送障害、断線、短絡、連動停止、商用電源断などの自火報受信機３４の障害信号を、システム制御盤２００を経由して受信し、この状態で減圧検出器４４による減圧信号をシステム制御盤２００を介して受信し、これにより火災検出ができない障害検出と減圧検出の両方を判別した場合に、減圧を検出した減圧検出器４２の防護区画に設けた作動用電動弁４２にシステム制御盤２００を経由して開放制御信号を出力して開放制御し、これにより予作動弁４０を開放動作してスプリンクラーヘッド２６から加圧消火用水を放水させる。
【００５３】
また、統合制御部１０４は、予作動弁装置２４に設けた作動用電動弁４２を個別的に選択して遠隔制御する機能に加え、一括復帰操作の受付けを検出した場合、点検などにより全開位置に制御している複数の作動用電動弁４２を一括して定常位置となる全閉位置に復帰する制御を、システム制御盤２００を経由して行う。
【００５４】
この一括復帰制御は、複数の作動用電動弁４２を、動作の重複を回避する所定のインターバル時間をおいて順次起動制御して全閉位置へ復帰させる。このためシステム制御盤２００は、作動用電動弁４２を一台ずつ制御することを前提に駆動回路及び信号線を決めていることから、一回の起動制御で流す駆動電流を制限して駆動回路や信号線に加わる負担を低減して障害発生を未然に防止可能としている。
【００５５】
［システム制御盤］
（システム制御盤の構成）
図４はシステム制御盤の機能構成の実施形態を示したブロック図である。図４に示すように、システム制御盤２００は、システム制御部２０２、伝送部２０４、液晶表示パネル２０６、表示部２０８、操作部２１０、警報部２１２を備え、図１に示した複数の防護区画毎に、予作動弁装置２４を接続している。
【００５６】
予作動弁装置２４は、図２に示した火災感知器３６、予作動弁４０、作動用電動弁４２及び減圧検出器４４を取り出して示している。なお、火災感知器３６は予作動弁装置２４の防護区画に設置しているが、説明の都合上、予作動弁装置２４の中に示している。
【００５７】
システム制御部２０２は、例えばプログラムの実行により実現される機能であり、ハードウェアとしてはＣＰＵ、メモリ、各種の入出力ポート等を備えたコンピュータ回路等を使用する。
【００５８】
システム制御部２０２に対しては防護区画毎の予作動弁装置２４側に設けた火災感知器３６を感知器線により接続し、また作動用電動弁４２及び減圧検出器４４を信号線により接続している。尚、予作動弁４０はその開閉駆動機構に対し作動用電動弁４２の開放制御で加圧消火用水の排水又は供給を受けて開放する。
【００５９】
伝送部２０４はシステム統合盤１００との間で火災感知器３６の火災信号、減圧検出器４４の減圧信号、作動用電動弁４２の開閉制御信号を所定の通信プロトコルに従って送受信し、前述したように、この検出信号及び制御信号は、送信元ＩＤ、送信先ＩＤ、防護区画ＩＤ、種別ＩＤ、検出データ又は制御コマンドを含んだ所定の信号形式とする。
【００６０】
また、液晶表示パネル２０６は、システム制御部２０２の指示によりシステム制御盤２００の制御動作に必要な各種の画面表示を行い、表示画面の操作ボタンを操作することで、制御動作に必要な各種の操作入力を可能とする。また、液晶表示パネル２０６はタッチパネルを備えても良い。
【００６１】
表示部２０８は、予作動弁装置２４の制御動作に必要な各種の表示灯を設けている。操作部５４は、予作動弁制御盤３４の制御動作に必要な各種の操作スイッチを設けている。警報部２１０には火災警報、障害警報を音響出力するスピーカなどを設けている。
【００６２】
なお、液晶表示パネル２０６、表示部２０８、操作部２１０及び警報部２１２の機能は、システム統合盤１００が機能している場合は休止しており、システム統合盤１００が障害などにより機能を喪失した場合に、それぞれ機能が有効となり、システム統合盤１００から独立して管理制御が可能となる。
【００６３】
（制御部の構成）
システム制御部２０２は、システム統合盤１００が正常で有効に機能している場合は、火災感知器３６から火災信号を受信した場合、自己の送信元ＩＤと防護区画ＩＤを含む火災信号を生成してシステム統合盤１００に送信する制御を行う。
【００６４】
また、システム制御部２０２は、システム統合盤１００が有効に機能している場合は、減圧検出器４４から減圧信号を受信した場合、自己の送信元ＩＤと防護区画ＩＤを含む減圧信号を生成してシステム統合盤１００に送信する制御を行う。
【００６５】
また、システム制御部２０２は、システム統合盤１００が有効に機能している場合は、システム統合盤１００から自己を送信先とした防護区画ＩＤを含む開放制御信号又は閉鎖制御信号を受信した場合、防護区画ＩＤで指定される作動用電動弁４２に開放制御信号又は閉鎖制御信号を出力し、作動用電動弁４２の開閉制御に伴って予作動弁４０を開閉する制御を行う。
【００６６】
これ以外の検出信号、例えば流水検知器４６からの流水検知信号や他の制御信号についても同様である。
【００６７】
このようにシステム制御盤２００は、システム統合盤１００が有効に機能している場合は、検出器からの検出信号を受信してこれをシステム統合盤１００に送信し、システム統合盤１００からの制御信号を受信して制御機器に出力する中継器として機能する。
【００６８】
［システム統合盤による地図表示機能］
図５はシステム統合盤の地図画面の例を示した説明図である。図２に示したシステム統合盤１００の統合制御部１０４は、例えば防護区画Ａ１に設置した火災感知器３６からの火災信号をシステム制御盤２００から受信した場合、図５に示すように、表示画面２１４に、火災を検知した防護区画Ａ１を含む建物を平面で示した地図２１６を表示する。
【００６９】
地図２１６は右下に示す縮小地図２２６に示す施設全体地図の中の斜線部分の拡大地図を表示しており、火災検出と減圧検出を判別して予作動弁を開放制御した防護区画Ａ１については、区画領域２１８を例えば赤色として防護区画を示すＡ１を文字表示し、また、火災感知器シンボル２２０を表示し、更に予作動弁シンボル２２２の２次側にスプリンクラーヘッドシンボル２２４を接続した設備系統を表示している。
【００７０】
このような防護区画Ａ１を表示するため、統合制御部１０４は、防護区画Ａ１の火災感知器３６からの火災信号を受信した場合に、防護区画を示す文字Ａ１と感知器シンボル２２０を発生し、また、防護区画Ａ１の減圧検出器４４からの減圧信号を受信した場合に、予作動弁シンボル２２２とスプリンクラーヘッドシンボル２２４を発生し、図５に示すように画面表示させる制御を行う。
【００７１】
このような火災信号や減圧信号に対応した文字やシンボルを発生するため、火災信号や減圧信号に対応した文字やシンボルを登録した変換テーブルを防護区画毎に予め準備してメモリに記憶しておき、統合制御部１０４は、受信した火災信号又は減圧信号に含まれる防護区画ＩＤにより変換テーブルを参照して、文字及び又はシンボルを生成して地図上に表示する制御を行う。
【００７２】
また、表示画面２１４における地図表示は適宜の形態をとることが可能であり、例えば図６に示すように、地図２１６に表示する全ての防護区画Ａ１〜Ａ５について、予作動弁シンボルとスプリンクラーシンボルによる設備系統と感知器シンボルを表示する。この場合、火災検出と減圧検出を判別していない防護区画Ａ２〜Ａ４については、区画を示す文字Ａ２〜Ａ４を表示すると共に、予作動弁シンボルの中の三角形を黒塗りとして閉鎖状態を示し、またスプリンクラーヘッドシンボルも下端に感熱板を設けて非作動シンボルとする。
【００７３】
これに対し火災検出と減圧検出を判別している防護区画Ａ１については、区画領域２１８を赤色にして文字Ａ１を表示すると共に、予作動弁シンボル２２２の中の三角形を白抜きとして開放状態を示し、スプリンクラーヘッドシンボル２２４については感熱板を除いて散水する様子を示したシンボルとしている。
【００７４】
「システム統合盤の機能が喪失した場合の縮退制御」
図７はシステム統合盤の機能喪失によるシステム縮退構成を示した説明図である。図７に示すように、統合消火システムの運用中に、システム統合盤１００で何らかの障害が発生して機能を喪失した場合、システム制御盤２００−１〜２００−３のシステム制御部２０２は、システム統合盤１００の障害による機能喪失を、例えば伝送部２０４による伝送障害から判別した場合、システム統合盤１００と防護区画との間の検出信号及び制御信号の中継機能を停止し、システム統合盤１００から独立して自分に接続している防護区画の検出器に基づく制御機器の制御を行う。
【００７５】
即ち、システム制御部２００−１〜２００−３のシステム制御部２０２は、システム統合盤１００の障害による機能喪失を判別すると、システム統合盤１００と防護区画との間の検出信号及び制御信号の中継機能を停止し、例えばダブルインターロック制御として、防護区画毎に、火災感知器３６による火災検出と減圧検出器４４による減圧検出の両方を判別した場合に、予作動弁装置２４に設けた作動用電動弁４２に開放制御信号を出力して遠隔的に開放制御し、これに伴い予作動弁４０を開放動作してスプリンクラーヘッド２６から加圧消火用水を散水させる制御を行う。
【００７６】
また、システム制御部２０２は、別パターンとして、火災感知器３６による火災検出ができない障害検出、例えば伝送障害、断線、短絡、連動停止、商用電源断などの障害検出と減圧検出器による減圧検出の両方を判別した場合に、作動用電動弁４２に開放制御信号を出力して開放制御し、これにより予作動弁装置２４を開放動作してスプリンクラーヘッド２６から加圧消火用水を放水させる。
【００７７】
また、システム制御部２０２は、予作動弁装置２４に設けた作動用電動弁４２を個別的に選択して遠隔制御する機能に加え、液晶表示パネル２０６の一括復帰実行画面による一括復帰操作の受付けを検出した場合、点検などにより全開位置に制御している複数の作動用電動弁４２を一括して定常位置となる全閉位置に復帰する制御を行う。この一括復帰制御は、複数の作動用電動弁４２を、動作の重複を回避する所定のインターバル時間をおいて順次起動制御して全閉位置へ復帰させる。
【００７８】
このようにシステム統合盤１００の機能喪失を判別した場合、複数のシステム制御盤２００−１〜２００−３が独立して監視制御を行うため、システム統合盤１００を追加したことに伴いシステムの故障率が高まることを回避可能とし、高い信頼性を確保する。
【００７９】
「システム統合盤の機能喪失が復旧した場合の制御」
システム統合盤１００の機能喪失が復旧した場合には、システム制御盤２００−１〜２００−３のシステム制御部２０２での動作履歴をシステム統合盤１００に送信して動作履歴や、動作状況の表示や必要動作を行う。
【００８０】
例えば、システム統合盤１００の機能喪失中に、システム制御盤２００−１のシステム制御部２０２で火災検出を判断している場合に、システム統合盤１００の機能喪失が復旧したら、システム制御部２０２は火災の検出信号をシステム統合盤１００に送信して表示など通常動作に戻る制御を行う。
【００８１】
また、システム統合盤１００の機能喪失の復旧後に、システム制御盤２００−１〜２００−３のシステム制御部２０２に設けた記録部に記録した動作履歴情報をシステム統合盤１００に送信する制御を行い、これによりシステム統合盤１００にてシステム制御盤２００−１〜２００−３のシステム制御部２０２の動作履歴を確認することが出来る。
【００８２】
［システム制御盤の渡り制御］
図８は防護区画の検出器と制御機器を異なるシステム制御盤に接続した消火統合システムの概略を示した説明図である。
【００８３】
図８に示すように、防護区画Ａｎを見ると、防護区画Ａｎの火災感知器３６と減圧検出器４４はシステム制御盤２００−１に接続しており、防護区画Ａｎの予作動弁４０は別のシステム制御盤２００−２に接続している。
【００８４】
この場合、システム統合盤１００の統合制御部１０４は、システム制御盤２００−１から防護区画Ａ１の火災信号と減圧信号を受信して火災検出と減圧検出を判別して場合、防護区画Ａｎを指定した開放制御信号を、システム制御盤２００−２を送信先に指定して送信する。このためシステム制御盤２００−２がシステム統合盤１００からの防護区画Ａｎを指定した開放制御信号を受信して防護区画Ａｎの予作動弁４０に出力して開放させる。この点は防護区画Ａｎ＋ｎも同様である。
【００８５】
このようにシステム制御盤２００−１〜２００−３単位に防護区画を切り分ける必要はなく、同じ防護区画の検出器と制御機器を別々のシステム制御盤に切り分けることを可能とし、システム統合盤１００を用いた運用管理においては、システム制御盤２００−１〜２００−３を意識することなく一つのシステムとして対処することを可能とする。
【００８６】
一方、図７において、システム統合盤１００の機能が喪失した場合には、システム制御盤１００−１〜２００−３は独立して監視制御を行うことになるが、システム制御盤２００−１〜２００−３の相互間で伝送路１０２を介して信号の送受信が可能であることから、例えばシステム制御盤２００−１が防護区画Ａｎの火災検出と減圧検出を判別した場合、防護区画Ａｎを指定した開放制御信号を、システム制御盤２００−２を送信先として送信し、システム制御盤２００−２がシステム制御盤２００−１からの防護区画Ａｎを指定した開放制御信号を受信して防護区画Ａｎの予作動弁４０に出力して開放させる渡り制御を行うようにすれば良い。
【００８７】
このシステム制御盤２００−１〜２００−３の間の渡り制御を実現するため、システム制御盤２００−１〜２００−３は、自己に接続した検出器と同じ防護区画に設けた他のシステム制御盤に接続した制御機器の関係を示す渡り制御情報を予め記憶しておくようにする。これによりシステム統合盤１００の機能喪失を判別した場合、例えばシステム制御盤２００−１は、自己に接続している検出器による防護区画Ａｎの火災検出と減圧検出を判別した場合に、予め記憶している渡り制御情報から検出した他のシステム制御盤２００−２に、防護区画Ａｎを指定した開放制御信号を送信し、防護区画Ａｎの予作動弁４０を開放制御させることが可能となる。
【００８８】
また、システム統合盤１００の機能喪失中、システム制御盤２００−１において復旧操作を行った場合には、予め記憶している渡り制御情報から検出した他のシステム制御盤２００−2に、防護区画Ａｎを指定した閉鎖制御信号を送信し、防護区画Ａｎの予作動弁４０を閉鎖制御させる。
【００８９】
［本発明の変形例］
（消火設備）
上記の実施形態は予作動弁の２次側配管に加圧消火用水を充水した湿式の予作動スプリンクラー消火設備を例にとっているが、予作動弁の２次側に加圧空気を充填した乾式の予作動スプリンクラー消火設備、定常監視状態で予作動弁の一次側又は２次側に設けた制御弁を開放しており、火災検出を判別することなく減圧検出を判別して場合にスプリンクラーヘッドの破損などによる誤作動と判断して制御弁を閉鎖制御するスプリンクラー消火設備などの防護区画に検出器と制御機器を設けた適宜の消火設備を巨大物件に設置する場合に適用できる。
【００９０】
（シングルインターロック）
上記の実施形態は、火災感知器による火災検出と減圧検出器による減圧検出の両方を判別した場合に予作動弁を開放制御してスプリンクラーヘッドから加圧消火用水を散水させるダブルインターロック制御を例にとっているが、火災感知器による火災検出を判別した場合に予作動弁装置を開放制御してスプリンクラーヘッドから加圧消火用水を散水させるシングルインターロック制御の予作動スプリンクラー消火設備についても、同様に適用できる。
【００９１】
このシングルインターロック制御も、火災感知器による火災検出で予作動弁装置を開放制御するパターン以外に、火災感知器による火災検出ができない障害検出、例えば伝送障害、断線、短絡、連動停止、商用電源断などの障害検出を判別した場合に、予作動弁装置を開放制御してスプリンクラーヘッドから加圧消火用水を放水させる。
【００９２】
（その他）
また、本発明はその目的と利点を損なうことのない適宜の変形を含み、更に上記の実施形態に示した数値による限定は受けない。
【符号の説明】
【００９３】
１０：消火ポンプ
１４：ポンプ制御盤
２４：予作動弁装置
３４：予作動弁制御盤
３６：火災感知器
４０：予作動弁
４２：作動用電動弁
４４：減圧検出器
４６：流水検知器
１００：システム統合盤
１０２：伝送路
１０４：統合制御部
１０６，２０４：伝送部
１０８，２０６：液晶表示パネル
２００−１〜２００−３：システム制御盤
２０２；システム制御部
【図１】
2015091284.tif 000003
【図２】
2015091284.tif 000004
【図３】
2015091284.tif 000005
【図４】
2015091284.tif 000006
【図５】
2015091284.tif 000007
【図６】
2015091284.tif 000008
【図７】
2015091284.tif 000009
【図８】
2015091284.tif 000010